(57)【要約】【課題】簡単な構成にて接触面に対する接触位置を検出する、新規な構成の電界通信システムを提供する。【解決手段】接触位置検出機能付き電界通信システムは、第１の電界通信装置と、人が任意の接触位置に接触することを許容する接触面(18)と、人が接触面(18)に接触しているときに、人の表面に電界を誘起する電界通信を第１の電界通信装置と行う第２の電界通信装置とを備える。第２の電界通信装置は、接触面(18)に沿って設けられた電極(44)と、電極(44)を介して第２の電界通信装置と電界通信を行う電界通信回路(38)と、電極(44)の少なくとも２つの検出部位にて、第１の電界通信装置から電界を通じて供給された信号に対応する受信信号をそれぞれ検出し、検出した複数の受信信号の強度に基づいて、接触面(18)における人の接触位置を検出する位置検出回路(50)とを有する。【選択図】図３
2011176403.tif 000002
【特許請求の範囲】
【請求項１】
人によって携帯される第１の電界通信装置と、
前記人が任意の接触位置に接触することを許容する接触面と、
前記人が前記接触面に接触しているときに、前記人の表面に電界を誘起する電界通信を前記第１の電界通信装置と行う第２の電界通信装置とを備え、
前記第２の電界通信装置は、
前記接触面に沿って設けられた電極と、
前記電極を介して前記第２の電界通信装置と前記電界通信を行う電界通信回路と、
前記電極の少なくとも２つの検出部位にて、前記第１の電界通信装置から前記電界を通じて供給された信号に対応する受信信号をそれぞれ検出し、検出した複数の受信信号の強度に基づいて、前記接触面における前記人の接触位置を検出する位置検出回路とを有する
ことを特徴とする接触位置検出機能付き電界通信システム。
【請求項２】
前記電極は、１層の導電体層のみからなることを特徴とする請求項１に記載の接触位置検出機能付き電界通信システム。
【請求項３】
前記人が前記接触面に接触したとき、前記位置検出回路によって検出された接触位置に対応する座標に関連付けられた処理を実行する制御装置を更に備えることを特徴とする請求項１又は２に記載の接触位置検出機能付き電界通信システム。
【請求項４】
前記第２の電界通信装置に電気的に接続され、前記接触面における座標に関連付けられた情報を記憶する第２の記憶装置を更に備え、
前記制御装置は、前記処理として、前記第２の記憶装置に記憶された情報のうち、前記位置検出回路によって検出された接触位置に対応する座標に関連付けられた情報を前記第２の電界通信装置から前記第１の電界通信装置に送信させ、
前記第１の電界通信装置は、前記第２の電界通信装置から送信されてきた情報を前記人に伝達するための伝達手段を有する
ことを特徴とする請求項３に記載の接触位置検出機能付き電界通信システム。
【請求項５】
前記第１の電界通信装置と一体に設けられ、前記人又は前記第１の電界通信装置の固有情報を記憶する第１の記憶装置を更に備え、
前記制御装置は、前記処理として、前記固有情報を前記第１の電界通信装置から前記第２の電界通信装置に送信させる
ことを特徴とする請求項３又は４に記載の接触位置検出機能付き電界通信システム。
【請求項６】
前記接触面に沿って設けられ、前記接触面及び前記電極を透して視認可能な表示部を有する表示装置を更に備え、
前記制御装置は、前記処理の各々に割り当てられた標章を、前記処理に関連付けられた座標に重なるように前記表示部に表示させる
ことを特徴とする請求項３乃至５の何れか一項に記載の接触位置検出機能付き電界通信システム。
【請求項７】
人が任意の接触位置にて接触することを許容する接触面と、
前記人が前記接触面に接触しているときに、前記人の表面に電界を誘起する電界通信を外部と行う電界通信装置とを備え、
前記電界通信装置は、
前記接触面に沿って設けられた電極と、
前記電極を介して前記電界通信を外部と行う電界通信回路と、
前記電極の少なくとも２つの検出部位にて、外部から前記電界を通じて供給された信号に対応する受信信号をそれぞれ検出し、検出した複数の受信信号の強度に基づいて、前記接触面における前記人の接触位置を検出する位置検出回路とを有する
ことを特徴とする接触位置検出機能付き電界通信システム。
【請求項８】
前記電極は、１層の導電体層のみからなることを特徴とする請求項７に記載の接触位置検出機能付き電界通信システム。
【請求項９】
前記人が前記接触面に接触したとき、前記位置検出回路によって検出された接触位置に対応する座標に関連付けられた処理を実行する制御装置を更に備えることを特徴とする請求項７又は８に記載の接触位置検出機能付き電界通信システム。
【請求項１０】
前記電界通信装置に電気的に接続され、前記接触面における座標に関連付けられた情報を記憶する記憶装置を更に備え、
前記制御装置は、前記処理として、前記記憶装置に記憶された情報のうち、前記位置検出回路によって検出された接触位置に対応する座標に関連付けられた情報を前記電界通信装置から前記電極を介して外部に送信させる
ことを特徴とする請求項９に記載の接触位置検出機能付き電界通信システム。
【請求項１１】
前記接触面に沿って設けられ、前記接触面及び前記電極を透して視認可能な表示部を有する表示装置を更に備え、
前記制御装置は、前記処理の各々に割り当てられた標章を、前記処理に関連付けられた座標に重なるように前記表示部に表示させる
ことを特徴とする請求項９又は１０に記載の接触位置検出機能付き電界通信システム。
【発明の詳細な説明】
【技術分野】
【０００１】
本発明は、接触位置検出機能付き電界通信システムに関する。
【背景技術】
【０００２】
接触面に対する接触位置を検出し、接触位置に対応した信号を外部機器に入力する入力装置としては、タッチパネルやタッチパッドが知られている。これら入力装置としては、抵抗膜式や静電容量式のものが広く使用されている。
一方、人が特別意識することなく、命令を外部機器に入力するための装置として、電界通信装置が知られている。電界通信装置では、例えば、人が携帯する子機が人体の表面に変調された電界を励起し、親機は変調された電界を検出して外部機器に命令を入力する。この種の電界通信装置は、例えば入退室管理システムや、自動車のドア施錠システム等に使用されている。
【０００３】
そして近年、タッチパネルと電界通信装置とを併用する技術の開発が行われている。例えば、特許文献１が開示する情報通信装置は、電界通信を行うための電界通信送信部及び電界通信受信部と、位置検出のための静電容量検出部と、電界通信及び位置検出の双方に使用されるタッチパネルとを備える。
【先行技術文献】
【特許文献】
【０００４】
【特許文献１】特開２００９−２５３４７８号公報
【発明の概要】
【発明が解決しようとする課題】
【０００５】
特許文献１が開示する情報通信装置に適用されたタッチパネルは、静電容量の変化に基づいて接触位置を検出するために、通常、相互に積層されたＸ電極及びＹ電極を有し、構成によっては検出電極を更に有する。このため、この種のタッチパネルは２層以上の複雑な積層構造を有し、高価である。
【０００６】
また、抵抗膜式のタッチパネルも、通常、相互に積層されたＸ電極及びＹ電極からなる２層の複雑な積層構造を有し、高価である。
更に、特許文献１が開示する情報通信装置では、電界通信送信部及び電界通信受信部と、静電容量検出部とが独立して設けられており、単に併存しているにすぎない。このため、この情報通信装置は、電界通信送信部及び電界通信受信部と、静電容量検出部とを切り換えるためのスイッチを含み、構成が複雑である。
【０００７】
本発明は上記した事情に鑑みてなされ、その目的とするところは、簡単な構成にて接触面に対する接触位置を検出する、新規な構成の電界通信システムを提供することにある。
【課題を解決するための手段】
【０００８】
上記の課題を解決するため、本発明は以下の解決手段を採用する。
【０００９】
解決手段１：本発明の一態様によれば、人によって携帯される第１の電界通信装置と、前記人が任意の接触位置に接触することを許容する接触面と、前記人が前記接触面に接触しているときに、前記人の表面に電界を誘起する電界通信を前記第１の電界通信装置と行う第２の電界通信装置とを備え、前記第２の電界通信装置は、前記接触面に沿って設けられた電極と、前記電極を介して前記第２の電界通信装置と前記電界通信を行う電界通信回路と、前記電極の少なくとも２つの検出部位にて、前記第１の電界通信装置から前記電界を通じて供給された信号に対応する受信信号をそれぞれ検出し、検出した複数の受信信号の強度に基づいて、前記接触面における前記人の接触位置を検出する位置検出回路とを有することを特徴とする接触位置検出機能付き電界通信システムが提供される。
【００１０】
解決手段１の接触位置検出機能付き電界通信システムでは、第２の電界通信装置の位置検出回路が、電極の少なくとも２つの検出部位にて受信信号を検出する。そして、位置検出回路は、検出部位と接触位置との間の距離に応じて受信信号の強度が変化することを利用して、接触位置を検出する。
かかる新規な構成の位置検出回路によれば、電極が複雑な構造を有していなくても、接触位置が検出される。この結果として、この接触位置検出機能付き電界通信システムは、簡単な構成を有する。
なお、第１の電界通信装置及び第２の電界通信装置が、人の所持品の表面に電界を誘起可能であるときには、当該所持品が接触面に接触することも、本発明における「人が接触面に接触する」ことに含まれるものとする。
【００１１】
解決手段２：好ましくは、前記電極は、１層の導電体層のみからなる。
【００１２】
解決手段２の接触位置検出機能付き電界通信システムは、電極が１層の導電体層のみからなり、極めて簡単な構成を有する。
【００１３】
解決手段３：好ましくは、接触位置検出機能付き電界通信システムは、前記人が前記接触面に接触したとき、前記位置検出回路によって検出された接触位置に対応する座標に関連付けられた処理を実行する制御装置を更に備える、
解決手段３の接触位置検出機能付き電界通信システムによれば、制御装置が接触位置に関連づけられた処理を実行することによって、第１の電界通信装置を携帯する人に、種々のサービスを提供可能である。
【００１４】
解決手段４：好ましくは、接触位置検出機能付き電界通信システムは、前記第２の電界通信装置に電気的に接続され、前記接触面における座標に関連付けられた情報を記憶する第２の記憶装置を更に備え、前記制御装置は、前記処理として、前記第２の記憶装置に記憶された情報のうち、前記位置検出回路によって検出された接触位置に対応する座標に関連付けられた情報を前記第２の電界通信装置から前記第１の電界通信装置に送信させ、前記第１の電界通信装置は、前記第２の電界通信装置から送信されてきた情報を前記人に伝達するための伝達手段を有する。
解決手段４の接触位置検出機能付き電界通信システムによれば、第１の電界通信装置を携帯する人は、希望する情報を容易に入手可能である。
【００１５】
解決手段５：好ましくは、接触位置検出機能付き電界通信システムは、前記第１の電界通信装置と一体に設けられ、前記人又は前記第１の電界通信装置の固有情報を記憶する第１の記憶装置を更に備え、前記制御装置は、前記処理として、前記固有情報を前記第１の電界通信装置から前記第２の電界通信装置に送信させる。
解決手段５の接触位置検出機能付き電界通信システムによれば、制御装置は、第１の電界通信装置から送信された固有情報に基づいて、更に実行すべき処理の種類や実行の可否を決定可能である。
【００１６】
解決手段６：好ましくは、触位置検出機能付き電界通信システムは、前記接触面に沿って設けられ、前記接触面及び前記電極を透して視認可能な表示部を有する表示装置を更に備え、前記制御装置は、前記処理の各々に割り当てられた標章を、前記処理に関連付けられた座標に重なるように前記表示部に表示させる。
解決手段６の接触位置検出機能付き電界通信システムによれば、第１の電界通信装置を携帯する人は、標章に基づいて処理を選択することで、希望するサービスを的確に受けることが可能である。
【００１７】
解決手段７：本発明の他の態様によれば、人が任意の接触位置にて接触することを許容する接触面と、前記人が前記接触面に接触しているときに、前記人の表面に電界を誘起する電界通信を外部と行う電界通信装置とを備え、前記電界通信装置は、前記接触面に沿って設けられた電極と、前記電極を介して前記電界通信を外部と行う電界通信回路と、前記電極の少なくとも２つの検出部位にて、外部から前記電界を通じて供給された信号に対応する受信信号をそれぞれ検出し、検出した複数の受信信号の強度に基づいて、前記接触面における前記人の接触位置を検出する位置検出回路とを有することを特徴とする接触位置検出機能付き電界通信システムが提供される。
【００１８】
解決手段７の接触位置検出機能付き電界通信システムでは、電界通信装置の位置検出回路が、電極の少なくとも２つの検出部位にて受信信号を検出する。そして、位置検出回路は、検出部位と接触位置との間の距離に応じて受信信号の強度が変化することを利用して、接触位置を検出する。
かかる新規な構成の位置検出回路によれば、電極が複雑な構造を有していなくても、接触位置が検出される。この結果として、この接触位置検出機能付き電界通信システムは、簡単な構成を有する。
【００１９】
解決手段８：好ましくは、前記電極は、１層の導電体層のみからなる。
解決手段８の接触位置検出機能付き電界通信システムは、電極が１層の導電体層のみからなり、極めて簡単な構成を有する
【００２０】
解決手段９：好ましくは、接触位置検出機能付き電界通信システムは、前記人が前記接触面に接触したとき、前記位置検出回路によって検出された接触位置に対応する座標に関連付けられた処理を実行する制御装置を更に備える。
解決手段９の接触位置検出機能付き電界通信システムによれば、制御装置が接触位置に関連づけられた処理を実行することによって、接触面に接触した人に、種々のサービスを提供可能である。
【００２１】
解決手段１０：好ましくは、接触位置検出機能付き電界通信システムは、前記電界通信装置に電気的に接続され、前記接触面における座標に関連付けられた情報を記憶する記憶装置を更に備え、前記制御装置は、前記処理として、前記記憶装置に記憶された情報のうち、前記位置検出回路によって検出された接触位置に対応する座標に関連付けられた情報を前記電界通信装置から前記電極を介して外部に送信させる。
解決手段１０の接触位置検出機能付き電界通信システムによれば、接触面に接触した人は、希望する情報を容易に入手可能である。
【００２２】
解決手段１１：好ましくは、接触位置検出機能付き電界通信システムは、前記接触面に沿って設けられ、前記接触面及び前記電極を透して視認可能な表示部を有する表示装置を更に備え、前記制御装置は、前記処理の各々に割り当てられた標章を、前記処理に関連付けられた座標に重なるように前記表示部に表示させる。
解決手段１１の接触位置検出機能付き電界通信システムによれば、第１の電界通信装置を携帯する人は、標章に基づいて処理を選択することで、希望するサービスを的確に受けることが可能である。
【発明の効果】
【００２３】
本発明によれば簡単な構成にて接触面に対する接触位置を検出する、新規な構成の電界通信システムが提供される。
【図面の簡単な説明】
【００２４】
【図１】一実施形態の接触位置検出機能付き電界通信システムが適用された商品の売り場の一部を示す図である。
【図２】図１の接触位置検出機能付き電界通信システムの子機の概略的な構成を示すブロック図である。
【図３】図１の接触位置検出機能付き電界通信システムの親機の概略的な構成を示す断面図である。
【図４】図３の親機の電界通信装置の概略的な構成を示すブロック図である。
【図５】変形例の接触位置検出機能付き電界通信システムの用途を説明するための図である。
【発明を実施するための形態】
【００２５】
以下、本発明の実施形態について図面を参照しながら説明する。
図１は、一実施形態の接触位置検出機能付き電界通信システム１０（以下、単に電界通信システム１０ともいう）が適用された百貨店の売り場の一部を概略的に示している。
電界通信システム１０は親機１２及び子機１４を有し、親機１２は、ＰＯＰ（Ｐｏｉｎｔ  ｏｆ  Ｐｕｒｃｈａｓｅ）広告として、陳列棚に取り付けられている。陳列棚には、例えば２種類の商品Ａ，Ｂが陳列され、親機１２は、商品Ａ，Ｂの近傍に配置されている。
【００２６】
親機１２の筐体１６には開口が形成され、開口内において、操作面（接触面）１８が表出している。操作面１８には、商品Ａ，Ｂの標章２０Ａ，２０Ｂがそれぞれ表示されている。
【００２７】
一方、子機１４は、買い物客によって携帯されている。子機１４の筐体２２にも開口が形成されており、開口内において、例えば液晶パネルからなる表示部２４が表出している。
【００２８】
より詳しくは、図２に示したように、子機１４は、例えばＣＰＵ（中央演算処理装置）によって構成される制御装置２６、並びに、制御装置２６によって制御される、電界通信回路２８、表示回路３０、及び、記憶装置３２を有する。
電界通信回路２８は、電界通信のための電極３４に接続されている。すなわち、電界通信回路２８は、電極３４を介し、受信時には、人体の表面に誘起された、変調された電界を検出可能であり、送信時には、人体の表面に変調された電界を誘起可能である。従って、電界通信回路２８及び電極３４は、互いに協働して、子機１４における電界通信装置を構成している。
【００２９】
表示回路３０は、表示部２４に接続され、制御装置２６によって指示された情報を表示部２４に表示する。つまり、表示回路３０及び表示部２４は、子機１４における表示装置を構成している。そして、制御装置２６は、例えば、電界通信回路２８を介して親機１２から受信した情報を表示部２４に表示させる。
【００３０】
一方、記憶装置３２は、例えば、買い物客又は子機１４の固有情報として、顧客番号、クレジットカード番号、又は、子機１４の識別番号等を記憶している。制御装置２６は、電界通信回路２８を介して、記憶装置３２が記憶している情報を親機１２に送信可能である。また、制御装置２６は、電界通信回路２８を介して親機１２から受信した情報を記憶装置３２に記憶させることが可能である。
【００３１】
図３は、親機１２の概略構成を示しており、操作面１８は、好ましくは透明なガラス板の表面によって構成されている。そして、親機１２は、筐体１６内に、例えばＣＰＵ（中央演算処理装置）によって構成される制御装置３６、並びに、制御装置３６によって制御される、電界通信回路３８、表示回路４０、及び、記憶装置４２を有する。
【００３２】
電界通信回路３８は、電界通信のための電極４４に接続されている。すなわち、電界通信回路３８は、電極４４を介し、受信時には、操作面１８に接触している人体の表面に誘起された、変調された電界を検出可能であり、送信時には、操作面１８に接触している人体の表面に変調された電界を誘起可能である。
【００３３】
電極４４は、好ましくは透明電極であり、例えばＩＴＯ（酸化インジウム錫）からなる１層の薄膜である。薄膜からなる電極４４は、例えば、透明なガラス基板４６に形成され、ガラス基板４６は、電極４４が操作面１８を構成するガラス板に沿うように配置される。
【００３４】
表示回路４０は、例えば液晶パネルからなる表示部４８に接続され、制御装置３６によって指示された情報を表示部４８に表示する。つまり、表示回路４０及び表示部４８は、親機１２における表示装置を構成している。
一方、記憶装置４２は、例えば、商品Ａ及び商品Ｂに関する情報、並びに、商品Ａ及び商品Ｂの標章２０Ａ及び標章２０Ｂを記憶している。商品Ａ及び商品Ｂに関する情報として代表的なものは価格であるが、その外には、原材料、製造日、賞味期限、生産者、及び、流通経路等がある。
標章２０Ａ及び標章２０Ｂは、文字、図形又はこれらの組み合わせであり、商品Ａ及び商品Ｂを連想させるものであれば特に限定されることはない。
【００３５】
制御装置３６は、標章２０Ａ及び標章２０Ｂを、表示部４８の所定の位置に表示させることが可能である。そして、制御装置３６は、表示部４８に表示された標章２０Ａに重なる操作面１８の領域に、子機１４を携帯している買い物客の指先が接触したときに、記憶装置４２内の商品Ａに関する情報を、電界通信回路３８を介して、子機１４に送信可能である。
【００３６】
一方、制御装置３６は、表示部４８に表示された標章２０Ｂに重なる操作面１８の領域に、子機１４を携帯している買い物客の指先が接触したときに、記憶装置４２内の商品Ｂに関する情報を、電界通信回路３８を介して、子機１４に送信可能である。
【００３７】
つまり、標章２０Ａ及び標章２０Ｂが表示される座標は、商品Ａ及び商品Ｂの情報と関連付けられている。そして、制御装置３６は、操作面１８における指先の接触位置の座標が、標章２０Ａ又は標章２０Ｂが表示される座標と一致したときに、標章２０Ａ又は標章２０Ｂの情報を子機１４に送信する。
なお制御装置３６は、子機１４に情報を送信する前に、子機１４に対して買い物客又は子機１４の固有情報の送信を命令し、送信されてきた固有情報に基づいて、記憶装置４２内の情報のうちから、子機１４に送信する情報を選択してもよく、あるいは、情報の送信の可否を決定してもよい。また、送信されてきた固有情報に基づいて、情報送信以外の他の処理を実行してもよい。
【００３８】
このように、操作面１８における指先の接触位置に応じて、実行する処理の選択を制御装置３６に行わせるために、親機１２は位置検出回路５０を更に有する。位置検出回路５０は、操作面１８における指先の接触位置を検出する機能を有する。
ここで、位置検出回路５０は、電極４４で受信した信号の強度に基づいて接触位置を検出しており、位置検出回路５０は、電界通信回路３８と機能の一部を共有可能である。このため本実施形態では、位置検出回路５０は、電界通信回路３８と一体に設けられ、電界通信回路３８及び位置検出回路５０は、１つのモジュール（電界通信モジュール）５２を構成している。そして、電界通信モジュール５２及び電極４４が、互いに協働して親機１２の電界通信装置を構成している。
【００３９】
図４は、親機１２の電界通信装置の概略的な構成を示す図である。
電極４４は、操作面１８に対向するガラス基板４６の領域全体に渡って形成された層状の電極、則ちべた電極である。電極４４の４つの角からは、リード線５５ａ，５５ｂ，５５ｃ，５５ｄがそれぞれ引き出され、リード線５５ａ，５５ｂ，５５ｃ，５５ｄは相互に独立して位置検出回路５０に接続されている。従って、電極４４の４つの角は、電極４４と位置検出回路５０とを接続するための端子部（検出部位）５６ａ，５６ｂ，５６ｃ，５６ｄとして形成されている。
なお以下では、リード線５５ａ，５５ｂ，５５ｃ，５５ｄをまとめて単にリード線５５ともいい、端子部５６ａ，５６ｂ，５６ｃ，５６ｄをまとめて単に端子部５６ともいう。
【００４０】
従って、位置検出回路５０は、子機１４からの信号を独立した４系統にて受信する。ここで、指先が図４中の領域Ｐに接触したと仮定すると、４つの受信信号の強度は、領域Ｐとリード線５５若しくは端子部５６の各々との間の電気抵抗、即ち距離に依存して減衰する。そこで、位置検出回路５０は、得られた４つの受信信号の強度を比較することによって、接触位置を検出することができる。
【００４１】
なお、電界通信回路３８は、４系統の全て又は一部の受信信号を利用して、子機１４からの信号を受信する。また、電界通信回路３８は、４系統の全て又は一部を利用して、子機１４に向けて信号を送信する。
【００４２】
上述した一実施形態の電界通信システム１０では、親機１２の電界通信装置の位置検出回路５０が、電極４４の４つの端子部５６にて受信信号を検出する。そして、位置検出回路５０は、端子部５６の各々と接触位置との間の距離に応じて受信信号の強度が変化することを利用して、接触位置を検出する。
かかる新規な構成の位置検出回路５０によれば、電極４４が複雑な構造を有していなくても、接触位置が検出される。この結果として、この電界通信システム１０は、簡単な構成を有する。
【００４３】
そして、上述した一実施形態の電界通信システム１０は、電極４４が１層の導電体層のみからなり、極めて簡単な構成を有する。
また、上述した一実施形態の電界通信システム１０によれば、親機１２の制御装置３６が接触位置に関連づけられた処理を実行することによって、子機１４を携帯する人に、種々のサービスを提供可能である。
【００４４】
更に、上述した一実施形態の電界通信システム１０によれば、子機１４を携帯する人は、希望する情報を容易に入手可能である。
また更に、上述した一実施形態の電界通信システム１０によれば、親機１２の制御装置３６は、子機１４から送信された固有情報に基づいて、更に実行すべき処理の種類や実行の可否を決定可能である。
一方、上述した一実施形態の電界通信システム１０によれば、子機１４を携帯する人は、表示された標章２０Ａ，２０Ｂに基づいて処理を選択することで、希望するサービスを的確に受けることが可能である。
【００４５】
本発明は、上述した一実施形態に限定されることはなく、当該実施形態に変更を加えた形態も含む。
例えば、上述した一実施形態では、４系統にて受信信号を検出し、強度を比較したが、少なくとも２つ検出部位で受信信号を検出すれば、おおよその位置を検出することができる。従って、要求される位置検出精度に応じて、電極３４から受信信号を受け取る系統の数、即ちリード線５５や端子部５６の数を選択することができる。
上述した一実施形態では、電極４４はべた膜であったが、端子部５６間で受信信号の強度差を検出可能であれば、べた膜でなくてもよい。例えば、電極４４は、網目形状であってもよい。
【００４６】
また、親機１２の操作面１８に標章２０Ａ，２０Ｂが印刷されたシール等を貼れば、表示部４８及び表示回路４０を省略してもよい。そしてこの場合、電極４４は透明である必要はなく、金属膜であってもよい。ただし、位置検出回路５０が電気抵抗の大きさに応じて接触位置を検出することから、電極４４はある程度の電気抵抗を有することが好ましく、ＩＴＯ等の金属酸化物の導電体であるのが好ましい。
【００４７】
上述した一実施形態では、子機１４が、情報を伝達するための手段として表示部２４を有していたけれども、伝達手段はこれに限定されることはない。例えば、伝達手段として、スピーカや、音声出力端子及びイヤホンを採用してもよい。
【００４８】
上述した一実施形態では、電界通信システム１０が、ＰＯＰ広告に適用されていたが、電界通信システム１０の用途は、これに限定されることはない。つまり、制御装置３６が実行する処理は、商品Ａ，Ｂの情報を子機１４に送信することに限定されず、他の処理も実行可能である。そしてこの場合、処理の内容に応じて、表示部４８に表示する標章も変更可能である。
【００４９】
例えば、美術館に展示された、相互に隣接する美術品の近傍に親機１２を設置しておき、各美術品を表す標章を表示部４８に表示させる。そして、記憶装置４２には、美術品に関する情報、例えば、作者や作成日等を記憶させておく。この場合、子機１４を携帯している鑑賞者が標章に重なる操作面１８の領域に接触したときに、情報が子機１４に送信され、表示部２４に表示される。
【００５０】
また図５は、室内における人の存在位置に応じて、電灯及び空調を制御する例を示している。この例では、床一面に電極６０が設けられ、電極６０の４つの隅に検出部位としての端子部６２ａ，６２ｂ，６２ｃ，６２ｄが設けられている。従って、子機１４を携帯している人の存在位置を、位置検出回路（図示せず）は検出可能である。そして、制御装置（図示せず）は、検出された存在位置を中心として、明かりや温度が最適になるように、電灯６４ａ，６４ｂ，６４ｃ，６４ｄ及び空調装置６６を制御可能である。
この例のように、親機の電極の大きさは特に限定されることはなく、接触面に接触する人の部位も、指先に限定されることはない。なおこの例の場合、子機１４は、表示部２４等の情報伝達手段を有さなくてもよい。
【符号の説明】
【００５１】
１０                接触位置検出機能付き電界通信システム
１２                親機
１４                子機
１８                操作面（接触面）
２０Ａ，２０Ｂ      標章
２４                表示部
２８                電界通信回路（第１の電界通信装置）
３４                電極（第１の電界通信装置）
３６                制御装置
３８                電界通信回路（第２の電界通信装置）
４２                記憶装置
４４                電極（第２の電界通信装置）
５０                位置検出回路（第２の電界通信装置）
５２                位置検出モジュール
５５ａ，ｂ，ｃ，ｄ  リード線
５６ａ，ｂ，ｃ，ｄ  端子部（検出部位）
【図１】
2011176403.tif 000003
【図２】
2011176403.tif 000004
【図３】
2011176403.tif 000005
【図４】
2011176403.tif 000006
【図５】
2011176403.tif 000007